(57)【要約】【課題】羽根へのチャージ中は幕を露光作動終了状態に保持し露光作動開始前に羽根を戻す機構を備え、露光作動開始位置に戻る羽根の戻り走行完了時の衝撃による羽根のバウンドの収束時間を短縮して次の撮影可能となる時間を短縮し連写速度を向上させるカメラ用フォーカルプレンシャッタの提供。【解決手段】セット部材１４のセット作動時には係止部材１５に係止されていて、羽根の露光作動開始前に係止部材による係止が解かれて羽根を露光作動開始位置に戻り走行させる第１駆動部材１１と、セット部材のセット作動によってセット方向に回転させられ露光作動時には第１駆動部材を露光方向に回転させ羽根に露光作動させる第２駆動部材１２とを備えたフォーカルプレンシャッタにおいて、羽根の露光作動開始位置への戻り走行終了時の衝撃により生ずるバウンドを抑止する係止部１６ｃを有するバウンド抑止部材１６を備える。【選択図】図１
2015106042.tif 000002
【特許請求の範囲】
【請求項１】
セット部材のセット作動時には係止部材の第１の係止部に係止されていて、羽根が露光作動を開始する前に前記係止部材の前記第１の係止部による係止が解かれてセットばねにより前記羽根を露光作動開始位置に戻り走行させる第１駆動部材と、前記セット部材のセット作動によってセット方向に回転させられ露光作動時には駆動ばねにより前記第１駆動部材を露光方向に回転させ前記羽根に露光作動させる第２駆動部材とを備えたカメラ用フォーカルプレンシャッタにおいて、
前記羽根の露光作動開始位置への戻り走行終了時の衝撃により生ずるバウンドを抑止する第２の係止部を有するバウンド抑止部材を備えたことを特徴とするカメラ用フォーカルプレンシャッタ。
【請求項２】
前記バウンド抑止部材は、さらに、前記第１駆動部材に摺接されながら押されうる第１の被押動部を有するとともに、バウンド抑止ばねにより前記第１の被押動部が前記第１駆動部材の走行軌道内における露光作動開始方向への回転の終了位置近傍に位置するように回転させられる力を与えられており、前記羽根が露光作動を開始する前に前記係止部材による前記第１駆動部材の係止が解かれたときに、前記第１のばねにより前記第１の被押動部が前記第１駆動部材の走行軌道内における露光作動開始方向への回転の終了位置近傍に位置するように回転させられ、前記羽根の露光作動開始位置への戻り走行終了直前において、前記第１の被押動部が前記第１駆動部材に摺接されながら押され、前記バウンド抑止ばねの付勢力に抗して回転させられることによって、前記第１駆動部材の回転を制動することを特徴とする請求項１に記載のカメラ用フォーカルプレンシャッタ。
【請求項３】
前記係止部材は、前記バウンド抑止部材を押す第１の押動部と、前記バウンド抑止部材を、前記第１の押動部を介して前記バウンド抑止ばねの付勢力に抗して回転させる係止ばねを有し、前記羽根が露光作動を開始する前に前記係止ばねの付勢力に抗して回転させられて、前記第１の係止部による前記第１駆動部材の係止を解き、前記羽根が露光作動を行っている状態では、前記係止ばねにより前記第１の押動部を介して前記バウンド抑止部材を前記バウンド抑止ばねの付勢力に抗して回転させ、
前記バウンド抑止部材は、第２の被押動部を有し、前記係止部材と同軸に設けられていて、前記係止部材が前記係止ばねの付勢力に抗して回転させられることによって、前記バウンド抑止ばねの付勢力によって前記第１の被押動部が前記第１駆動部材の走行軌道内における露光作動開始方向への回転の終了位置近傍に位置するように回転させられ、前記係止部材が前記係止ばねの付勢力により前記バウンド抑止ばねの付勢力に抗して回転させられることによって、前記第１の押動部に前記第２の被押動部が押され、前記第１の被押動部が前記第１駆動部材の走行軌道から外れるように回転させられることを特徴とする請求項２に記載のカメラ用フォーカルプレンシャッタ。
【請求項４】
請求項１〜３のいずれかに記載のカメラ用フォーカルプレンシャッタを備えていることを特徴とするデジタルカメラ。
【発明の詳細な説明】
【技術分野】
【０００１】
本発明は、例えば、ノーマリーオープン方式のシャッタ及び先幕電子シャッタにおいて、羽根チャージ時におけるセンサへの露光防止のために、羽根チャージ中は幕を閉じておく機構を備えたカメラ用フォーカルプレンシャッタ、及びそれを備えたデジタルカメラに関する。
【背景技術】
【０００２】
最近では、フォーカルプレンシャッタを備えたデジタルカメラの場合にも、レンズシャッタを備えたデジタルカメラの場合と同様に、液晶表示装置などを用いた電子ファインダを備えることが要求されるようになってきて、かつてのように、光学ファインダだけを備えているものは少なくなり、光学ファインダと電子ファインダの両方を備えたカメラや、電子ファインダだけを備えたカメラが多くなっている。そして、電子ファインダを採用する場合には、電子ファインダ用の撮像素子、撮影用の撮像素子の両方の機能を一つの撮像素子で兼用させるようにするのが一般的となっている。
【０００３】
そのような二つの機能を一つの撮像素子で兼用させる場合には、セット作動時においては、後羽根の方は、露光開口を閉じた状態から開いた状態に作動させるが、先羽根の方は、露光開口を開いた状態から閉じた状態には作動させない、いわゆるノーマリーオープン方式、あるいは、撮影に際してレリーズボタンが押されると、先羽根を作動させず、電子制御回路が撮像素子を制御することによって撮影が開始され、後羽根が露光開口を閉鎖することによって撮影を終了する、先羽根の代わりに電子シャッタを用いた方式の撮影モードで撮影する必要がある。
【０００４】
ところで、特許文献１に記載のような従来のデジタルカメラは、露光作動が終了した後、後羽根が露光開口を覆っている状態のとき、撮像素子から撮像情報を記憶装置に転送し、その転送が終わってからセット部材を回転させてセット作動が行われ、後羽根に開き作動を行わせることによって露光開口を全開にするように構成されている。撮像素子から撮像情報を記憶装置に転送した後になってから、セット作動を開始させている理由は、周知のように、露光作動の終了後直ちにセット作動を開始させてしまうと、撮像情報の転送中に露光開口から入射した光が撮像素子に当たって、撮像情報が損なわれてしまうからである。
【０００５】
また、この種のフォーカルプレンシャッタにおけるセット作動は、セット部材が、カメラ本体側の部材に回転させられて行われるが、そのとき、セット部材は、羽根を駆動させるための部材を、上記した付勢力の大きな駆動ばねの付勢力に抗して、露光作動終了位置からセット位置まで回転させるように構成されているため、そのセット作動には、露光作動に要する時間などに比較して圧倒的に長い時間を必要とする。
【０００６】
このことから、この種のフォーカルプレンシャッタは、露光作動が終了してから次の撮影待機状態（セット完了状態）が得られるまでの時間については、セット作動に要する時間だけを考慮して決めればよいということにはならず、撮像情報の転送可能時間も確保する必要があって、その分だけ長くならざるを得ず、撮影終了後に直ちに次の撮影を行いたい場合や、連写モードでの撮影を行う場合などには、必ずしも好ましい構成とは言えなかった。
【０００７】
しかるに、この問題を解消することを目的としたカメラに使用されるフォーカルプレンシャッタには、例えば、本件出願人の提案による次の特許文献２に記載されるような、後羽根チャージ時における、センサへの露光防止のため、後羽根チャージ中は後幕を閉じておく機構を備えたフォーカルプレンシャッタがある。
【０００８】
特許文献２に記載のフォーカルプレンシャッタは、後羽根用駆動手段を、後羽根用セットばねの付勢力で回転したときには後羽根に露光開口を開かせる後羽根用第１駆動部材と、後羽根用駆動ばねの付勢力によって回転したときには後羽根用第１駆動部材を後羽根用セットばねの付勢力に抗して回転させ後羽根に露光開口を閉じさせる後羽根用第２駆動部材とで構成し、セット作動の開始時には係止部材によって後羽根用第１駆動部材の回転を係止して、後羽根用第２駆動部材だけを駆動ばねの付勢力に抗して回転させ、セット作動の最終段階でその係止を解除することにより後羽根用セットばねの付勢力による後羽根用第１駆動部材の回転を可能にしている。
また、特許文献２に記載のフォーカルプレンシャッタは、係止部材が、露光作動終了直前に後羽根用第１駆動部材に当接させられることによって後羽根用第１駆動部材の回転を制動すると共に、露光作動終了時に後羽根用第１駆動部材がストッパに当接したときの衝撃で発生するバウンドを抑止している。
このため、特許文献２に記載のフォーカルプレンシャッタによれば、撮像素子から記憶装置への撮像情報の転送時間を考慮せずにセット作動を開始させることができ、次の撮影を従来よりも早く行え、従来よりもシャッタチャンスを逸することがなくなるという利点がある。また、それによって、連写を行う場合には、より細分化されたコマ写真が得られるという利点がある。
【先行技術文献】
【特許文献】
【０００９】
【特許文献１】特開２００４−６１８６５号公報
【特許文献２】特願２０１２−１７７７６５号公報
【発明の概要】
【発明が解決しようとする課題】
【００１０】
ところで、特許文献２に記載されているような後羽根チャージ中に後幕を閉じておく機構を備えたフォーカルプレンシャッタの場合、後羽根へのチャージ完了時に後羽根をセット位置に戻すが、後羽根の戻り走行終了時の衝撃により、後羽根にバウンドが発生する。そして、この後羽根のバウンドが収まらないと、露光作動を行ったときの羽根の動きが不安定になってしまうため、後羽根のバウンドが収束するまで露光作動を待つ必要がある。
このため、特許文献２に記載されているような、従来の後羽根チャージ中に後幕を閉じておく機構を備えたフォーカルプレンシャッタにおいては、この後羽根の戻り走行終了時の衝撃により生ずる後羽根のバウンドが収束するまでの時間が、次の撮影可能となるまでのタイムラグや、連写における高コマ速化の妨げとなっていた。
【００１１】
本発明は、このような問題点を解決するためになされたものであり、その目的とするところは、羽根へのチャージ中は幕を露光作動終了時の状態に保持し、羽根へのチャージが完了してから露光作動開始前までの間に羽根を露光作動開始位置に戻す機構を備えたタイプのカメラ用フォーカルプレンシャッタにおいて、露光作動開始位置に戻る羽根の戻り走行終了時の衝撃により生ずる羽根のバウンドの収束時間を短縮でき、次の撮影可能となるまでの時間を短縮し、特に連写速度の向上が可能なカメラ用フォーカルプレンシャッタ、及びそれを備えたデジタルカメラを提供することである。
【課題を解決するための手段】
【００１２】
上記の目的を達成するために、本発明のカメラ用フォーカルプレンシャッタは、セット部材のセット作動時には係止部材の第１の係止部に係止されていて、羽根が露光作動を開始する前に前記係止部材の前記第１の係止部による係止が解かれてセットばねにより前記羽根を露光作動開始位置に戻り走行させる第１駆動部材と、前記セット部材のセット作動によってセット方向に回転させられ露光作動時には駆動ばねにより前記第１駆動部材を露光方向に回転させ前記羽根に露光作動させる第２駆動部材とを備えたカメラ用フォーカルプレンシャッタにおいて、前記羽根の露光作動開始位置への戻り走行終了時の衝撃により生ずるバウンドを抑止する第２の係止部を有するバウンド抑止部材を備えたことを特徴としている。
【００１３】
また、本発明のカメラ用フォーカルプレンシャッタにおいては、前記バウンド抑止部材は、さらに、前記第１駆動部材に摺接されながら押されうる第１の被押動部を有するとともに、バウンド抑止ばねにより前記第１の被押動部が前記第１駆動部材の走行軌道内における露光作動開始方向への回転の終了位置近傍に位置するように回転させられる力を与えられており、前記羽根が露光作動を開始する前に前記係止部材による前記第１駆動部材の係止が解かれたときに、前記第１のばねにより前記第１の被押動部が前記第１駆動部材の走行軌道内における露光作動開始方向への回転の終了位置近傍に位置するように回転させられ、前記羽根の露光作動開始位置への戻り走行終了直前において、前記第１の被押動部が前記第１駆動部材に摺接されながら押され、前記バウンド抑止ばねの付勢力に抗して回転させられることによって、前記第１駆動部材の回転を制動するのが好ましい。
【００１４】
また、本発明のカメラ用フォーカルプレンシャッタにおいては、前記係止部材は、前記バウンド抑止部材を押す第１の押動部と、前記バウンド抑止部材を、前記第１の押動部を介して前記バウンド抑止ばねの付勢力に抗して回転させる係止ばねを有し、前記羽根が露光作動を開始する前に前記係止ばねの付勢力に抗して回転させられて、前記第１の係止部による前記第１駆動部材の係止を解き、前記羽根が露光作動を行っている状態では、前記係止ばねにより前記第１の押動部を介して前記バウンド抑止部材を前記バウンド抑止ばねの付勢力に抗して回転させ、前記バウンド部材は、第２の被押動部を有し、前記係止部材と同軸に設けられていて、前記係止部材が前記係止ばねの付勢力に抗して回転させられることによって、前記バウンド抑止ばねの付勢力によって前記第１の被押動部が前記第１駆動部材の走行軌道内における露光作動開始方向への回転の終了位置近傍に位置するように回転させられ、前記係止部材が前記係止ばねの付勢力により前記バウンド抑止ばねの付勢力に抗して回転させられることによって、前記第１の押動部に前記第２の被押動部が押され、前記第１の被押動部が前記第１駆動部材の走行軌道から外れるように回転させられるのが好ましい。
【００１５】
更に、本発明のデジタルカメラは、上記のような各カメラ用フォーカルプレンシャッタを備えることによって、次の撮影可能となるまでの時間を短縮でき、特に連写速度を向上させることが可能になる。
【発明の効果】
【００１６】
本発明のカメラ用フォーカルプレンシャッタによれば、例えば、羽根へのチャージ時におけるセンサへの露光防止のために、羽根へのチャージ中は後幕を閉じておく機構を備えたタイプのカメラ用フォーカルプレンシャッタにおいて、羽根の露光作動開始位置への戻り走行終了時の衝撃により生ずるバウンドとしての、羽根の露光開口からの退避作動時の衝撃により生ずるバウンドを抑止する第２の係止部を有するバウンド抑止部材により、羽根が露光作動を開始する前の露光作動開始位置への戻り走行終了時の衝撃により生ずるバウンドとしての、羽根へのチャージ完了後にセット位置に戻る羽根の戻り走行完了時の衝撃により生ずる羽根のバウンドの収束時間を短縮でき、次の撮影可能となるまでの時間を短縮し、特に連写速度の向上が可能なカメラ用フォーカルプレンシャッタ、及びそれを備えたデジタルカメラが得られる。
【００１７】
また、本発明のカメラ用フォーカルプレンシャッタにおいて、バウンド抑止部材を、さらに、第１駆動部材に摺接されながら押されうる第１の被押動部を有するとともに、バウンド抑止ばねにより第１の被押動部が第１駆動部材の走行軌道内における露光作動開始方向への回転の終了位置近傍に位置するように回転させられる力を与えられており、羽根が露光作動を開始する前に係止部材による第１駆動部材の係止が解かれたときに、第１のばねにより第１の被押動部が第１駆動部材の走行軌道内における露光作動開始方向への回転の終了位置近傍に位置するように回転させられ、羽根の露光作動開始位置への戻り走行終了直前において、第１の被押動部が第１駆動部材に摺接されながら押され、バウンド抑止ばねの付勢力に抗して回転させられることによって、第１駆動部材の回転を制動するようにすれば、羽根の露光作動開始位置への戻り方向走行時の第１駆動部材を制動して、羽根の戻り走行終了時のバウンドを弱めることができる。このため、バウンド抑止機構による羽根の露光作動開始位置への戻り走行終了時の衝撃により生ずるバウンドの抑止をより効果的なものとすることができ、羽根へのチャージ完了後に羽根の露光作動開始位置に戻る羽根の戻り走行終了時の衝撃により生ずる羽根のバウンドの収束時間をより一層短縮できる。
【００１８】
また、本発明のカメラ用フォーカルプレンシャッタにおいて、係止部材を、バウンド抑止部材を押す第１の押動部と、バウンド抑止部材を、第１の押動部を介してバウンド抑止ばねの付勢力に抗して回転させる係止ばねを有し、羽根が露光作動を開始する前に係止ばねの付勢力に抗して回転させられて、第１の係止部による第１駆動部材の係止を解き、羽根が露光作動を行っている状態では、係止ばねにより第１の押動部を介してバウンド抑止部材をバウンド抑止ばねの付勢力に抗して回転させるようにするとともに、バウンド抑止部材を、第２の被押動部を有し、係止部材と同軸に設け、係止部材が係止ばねの付勢力に抗して回転させられることによって、バウンド抑止ばねの付勢力によって第１の被押動部が第１駆動部材の走行軌道内における露光作動開始方向への回転の終了位置近傍に位置するように回転させられ、係止部材が係止ばねの付勢力によりバウンド抑止ばねの付勢力に抗して回転させられることによって、第１の押動部に第２の被押動部が押され、第１の被押動部が前記第１駆動部材の走行軌道から外れるように回転させられるようにすれば、電磁石等のアクチュエータを設けることなく、バウンド抑止部材が係止部材との協働により、羽根を露光作動開始位置に戻す動作のときのみ、メカ的に羽根の露光作動開始位置への戻り走行終了時の衝撃により生ずるバウンド抑止を行うことができるので、コストが抑えられ、しかも、電磁石等のアクチュエータの配置スペースが不要であるため省スペース化できる。
【図面の簡単な説明】
【００１９】
【図１】本発明の実施例にかかるカメラ用フォーカルプレンシャッタにおける、羽根のチャージ（セット作動）前の状態を示す平面図である。
【図２】図１における要部の構成部材を拡大して示した平面図である。
【図３】本実施例のカメラ用フォーカルプレンシャッタにおける、要部構成を示す説明図で、(a)は係止部材を撮像素子側から見た平面図、(b)は係止部材を被写体側から見た平面図、(c)は(b)の係止部材を矢印Ｆ方向から見た側面図、(d)はバウンド抑止部材を撮像素子側から見た平面図、(e)はバウンド抑止部材を被写体側から見た平面図、(f)は(e)のバウンド抑止部材を矢印Ｇ方向から見た側面図である。
【図４】本実施例のカメラ用フォーカルプレンシャッタにおける、セット部材の構成を示す説明図で、(a)はセット部材を撮像素子側から見た平面図、(b)はセット部材を被写体側から見た平面図、(c)はセット部材を(b)の矢印Ｈ方向から見た側面図である。
【図５】図１の状態から羽根のセット作動を開始し、第２駆動部材がセット方向に移動する一方、第１駆動部材が係止部材の第１の係止部に係止され、羽根が露光開口を覆う状態が維持されている状態を示す平面図である。
【図６】図５の状態よりも羽根のセット作動が進んで、セット部材がセット位置に到達し、第１駆動部材が係止部材の第１の係止部による係止を解除されて、羽根がセット位置への戻り走行を開始して露光開口を開き始めるとともに、バウンド抑止部材が第１駆動部材の走行軌道内に移動した状態を示す平面図である。
【図７】図６の状態よりもさらに羽根のセット作動が進んで、羽根がセット位置に到達する直前で第１駆動部材がバウンド抑止部材に摺接しながら押すことによって制動される状態を示す平面図である。
【図８】図７の状態から羽根がセット位置に到達し、第１駆動部材がバウンド抑止部材の第２の係止部に係止された状態を示す平面図である。
【図９】図８の状態からセット部材が初期位置に復帰し、第１駆動部材がバウンド抑止部材の第２の係止部による係止を解除されていて、羽根が露光作動を開始する直前の状態を示す平面図である。
【図１０】図９の状態から羽根が露光作動し、第１駆動部材が露光走行終了位置に到達する直前に係止部材を摺接しながら押すことによって制動される状態を示す平面図である。
【発明を実施するための形態】
【００２０】
本発明の実施の形態を、図示した実施例によって説明する。これらの実施例は、ダイレクトタイプのフォーカルプレンシャッタの構成に本発明を適用したものであるが、本発明は、係止タイプとして構成したものにも適用することが可能である。
【実施例】
【００２１】
先ず、主に、図１〜図４を用いて、本発明の実施例の構成を説明するが、図１は、ノーマリーオープン方式又は撮像素子の電子シャッタを用いた方式での露光作動終了直後であって羽根のチャージ（セット作動）前の状態を示した平面図であり、図２は図１における要部の構成部材を拡大して示した平面図、図３、図４は本実施例における要部構成をなす係止部材、バウンド抑止部材、セット部材の構成を示す説明図である。尚、本実施例の説明においては、本実施例のフォーカルプレンシャッタをカメラに組み込んだとき、図１の表面側（手前側）が被写体側（撮影レンズ側）であり、図１の背面側が撮像素子側であることを前提にして説明する。しかしながら、周知のように、デジタルカメラの場合には、図１の表面側を撮像素子側にし、図１の背面側を被写体側にすることもある。また、本発明の実施例の説明においては、先幕を電子シャッタとし、後幕のみを駆動部材を介して開閉する構成を用いることとする。
【００２２】
図１において、シャッタ地板１の略右寄り中央部には、長方形を横長にした露光用の開口部１ａが形成されている。また、周知のように、シャッタ地板１の背面側には、所定の間隔を空けて、補助地板３が取り付けられており、シャッタ地板１と補助地板３との間に羽根室を構成している。そして、補助地板３にも、開口部１ａの形状や大きさが略同様の開口部３ａが形成されている。そして、被写体光を通過させるためのシャッタユニットとしての露光開口の形状は、それらの開口部１ａ，３ａで形成されることもあるが、本実施例においては、開口部１ａの形状だけで露光開口の形状が決められている。
【００２３】
尚、本実施例のシャッタ地板１は合成樹脂製である。また、図１は、補助地板３の一部が見えるようにするために、シャッタ地板１の開口部１ａに隣接する一部の領域を故意に破断して示している。更に、図１においては、補助地板３の外形形状が破線で示されているが、このことは、図５〜図１０の場合も同じである。なお、図１、図５〜図１０では、便宜上、開口部１ａの右側部分を省略して示してある。
【００２４】
シャッタ地板１には、開口部１ａの左側の領域に、円弧状の長孔１ｂが形成されている。また、補助地板３は、薄い板部材であって、長孔１ｂを形成している領域と重なるため、実際には、長孔１ｂと重なるところに、略同じ形状をした図示していない長孔が形成されている。
【００２５】
シャッタ地板１の表面側、即ち被写体側には、軸１ｄ，１ｅ，１ｆが立設されている。それらのうち、軸１ｆは、他の軸１ｄ，１ｅよりも短い。また、シャッタ地板１の背面側、即ち撮像素子側には、軸１ｇ，１ｈが立設されている。それらのうち、軸１ｇは、上記の軸１ｄと同心上に立設されている。また、シャッタ地板１の表面側には、ストッパ部３１が設けられている。
【００２６】
シャッタ地板１の表面側には、実際には、このほかにも、複数の柱が立設されており、それらの先端には、例えば、特開２００７−２９８５４４号にも記載されているような支持板とプリント配線板とが、支持板をシャッタ地板１側にして取り付けられており、その支持板のシャッタ地板１側には、略Ｕ字形をしていて二つの脚部の先端を磁極部とした鉄芯部材と、コイルを巻回していて鉄芯部材の一方の脚部に嵌装されたボビンとで構成されている、電磁石が取り付けられている。しかしながら、それらの電磁石の構成や支持板への取付け構成は周知であり、且つそれらの電磁石の構成の全てに符号を付けると、他の構成部材が分かりにくくなってしまうため、図１のほか図５〜図１０において電磁石については鉄芯部材だけに符号６を付してある。
【００２７】
シャッタ地板１の表面側に立設されている上記の軸１ｄには、駆動機構を構成していて、いずれも合成樹脂製である、第１駆動部材１１と第２駆動部材１２とが、第１駆動部材１１の方をシャッタ地板１側にして、個々に回転可能に取り付けられている。
【００２８】
先ず、第１駆動部材１１は、第１の被係止部１１ａと、被押動部１１ｂと、駆動ピン１１ｃと、押動部１１ｄと、第２の被係止部１１ｅを有している。被押動部１１ｂと駆動ピン１１ｃは、表面側と背面側とで重なるように形成されており、背面側に形成されている駆動ピン１１ｃは、シャッタ地板１の上記の長孔１ｂに挿入されている。そして、この駆動ピン１１ｃは、根元側の部位の断面が円形をしている。また、先端側の部位の断面は砲弾形をしていて、後述のように羽根室内で羽根に連結されており、その最先端部を、補助地板３に形成されていて長孔１ｂと略同じ形状をした図示していない長孔に挿入している。尚、駆動ピン１１ｃの根元側の部位の断面はＤ形であってもよい。また、駆動ピン１１ｃの先端側の部位の断面形状は小判形であってもよい。また、押動部１１ｄは、第１駆動部材１１の先端面に形成され、第１の被係止部１１ａと第２の被係止部１１ｅは、第１駆動部材１１の先端の両側面に形成されている。
【００２９】
他方、第２駆動部材１２は、被写体側に部厚く形成した取付部１２ａと、取付部１２ａのシャッタ地板１側に形成した押動部１２ｂと、被写体側に形成した被押動部１２ｃを有している。そして、周知のように、この第２駆動部材１２は、図示していない駆動ばねの付勢力によって時計方向（図１における軸１ｄを中心とした矢印Ａ方向）へ回転するように付勢されているが、押動部１２ｂは、その回転時に、上記の第１駆動部材１１の被押動部１１ｂを押す部位である。
【００３０】
第２駆動部材１２の取付部１２ａには、その内部に、鉄片部材１３と図示していない圧縮ばねとが収容されている。そして、鉄片部材１３は、軸部１３ａの一端に円盤状をした頭部１３ｂを有していて、他端には鉄片部１３ｃを取り付けている。また、この鉄片部材１３は、取付部１２ａ内で軸部１３ａに嵌装されている上記の図示していない圧縮ばねによって、鉄片部１３ｃを取付部１２ａ内から突き出すように付勢されている。図１では、鉄片部１３ｃが取付部１２ａ内から突き出し、頭部１３ｂが取付部１２ａの縁に接触している状態が維持されている。
【００３１】
シャッタ地板１の表面側に立設されている上記の軸１ｅには、合成樹脂製のセット部材１４が回転可能に取り付けられている。このセット部材１４は、図示していないカメラ本体側の部材によって押される被押動部１４ａと、第２駆動部材１２の被押動部１２ｃを押す押動部１４ｂとを有している。また、セット部材１４のシャッタ地板１側の面には、軸１ｅを覆う略全領域に肉厚部が形成されるとともに、肉厚部の一部に軸１ｅを中心とする円周に沿って薄肉部が形成されており、その薄肉部の一端部との境界の肉厚部が、後述する係止部材１５の被押動部１５ｂを押す押動部１４ｃとなっている（図４(a)〜(c)参照）。
【００３２】
そして、このセット部材１４は、図示していない復帰ばねによって反時計方向（図１における軸１ｅを中心とした矢印Ｂ方向）へ回転するように付勢されているが、図１は、そのような復帰ばねの付勢力によって反時計方向（図１における軸１ｅを中心とした矢印Ｂ方向）へ回転しシャッタ地板１に設けられた図示されていないストッパ部に当接して、停止させられている状態を示したものである。
以下、セット部材１４については、この位置を初期位置ということにする。
【００３３】
シャッタ地板１の表面側に立設されている上記の軸１ｆには、合成樹脂製の係止部材１５と、合成樹脂製のバウンド抑止部材１６が回転可能に取り付けられている。係止部材１５は、第１の係止部１５ａと、被押動部１５ｂと、第１の押動部１５ｃと、被押動部１５ｄと、当接部１５ｅを有していて、図示していない係止ばねによって時計方向（図１における軸１ｆを中心とした矢印Ｃ方向）へ回転するように付勢されている。
第１の係止部１５ａは、第１駆動部材１１の走行軌道内における露光作動方向（図１における時計方向）への回転の終了位置近傍（図１に示す長孔１ｂの下方端部１ｂ２の近傍）に位置するときに、第１駆動部材１１の第１の被係止部１１ａを係止することによって、第１駆動部材１１のセット方向（図１における反時計方向）への回転を抑止するように形成されている。また、第１の係止部１５ａは、第１駆動部材１１の走行軌道内における露光方向への回転の終了位置近傍に位置するときに、露光方向への走行終了時における長孔１ｂの下方端部１ｂ２に第１駆動部材１１の駆動ピン１１ｃが当接するときの衝撃により生じる第１駆動部材１１のバウンドを抑止する機能も備えている。
被押動部１５ｂは、セット部材１４の押動部１４ｃに押されるように形成されている。
第１の押動部１５ｃは、図３(a)〜(c)に分かり易く示されており、後述するバウンド抑止部材１６の第２の被押動部１６ｂを押すことができるように形成されている。
被押動部１５ｄは、第１駆動部材１１の走行軌道内における露光方向への回転の終了位置近傍に位置するときに、露光方向に走行する第１駆動部材１１の第２の被係止部１１ｅに摺接されながら押されうるように形成されている。
当接部１５ｅは、図３(a)〜(c)に分かり易く示されており、ストッパ部３１と当接することによって、係止部材１５の時計方向への回転を停止させるように形成されている。
【００３４】
バウンド抑止部材１６は、第１の被押動部１６ａと、第２の被押動部１６ｂと、第２の係止部１６ｃを有していて、図示していないバウンド抑止ばねによって反時計方向（図１における軸１ｆを中心とした矢印Ｄ方向）へ回転するように付勢されている。
第１の被押動部１６ａは、第１駆動部材１１の走行軌道内におけるセット方向への回転の終了位置近傍に位置するときに、セット方向に走行する第１駆動部材１１の押動部１１ｄに摺接されながら押されうるように形成されている。
第２の被押動部１６ｂは、図３(d)及び図３(e)に分かり易く示されており、係止部材１５の第１の押動部１５ｃに押されうるように形成されている。
第２の係止部１６ｃは、第１駆動部材１１の走行軌道内におけるセット方向への回転の終了位置近傍に位置するときに、第１駆動部材１１の第２の被係止部１１ｅを係止することによって、セット方向への走行終了時における長孔１ｂの上方端部１ｂ１に第１駆動部材１１の駆動ピン１１ｃが当接するときの衝撃により生じる羽根のバウンドを抑止するように形成されている。
なお、係止部材１５を時計方向へ回転するように付勢する係止ばねの方が、バウンド抑止部材１６を反時計方向へ回転するように付勢するバウンド抑止ばねよりも強い力を有している。図１は、セット部材１４が初期位置に位置し、被押動部１５ｂが押動部１４ｃに押されない状態にあり、係止部材１５が時計方向に回転し、押動部１５ｃが被押動部１６ｂに当接しながら、バウンド抑止部材１６を、第１の被押動部１６ａ及び第２の係止部１６ｃが第１駆動部材１１の走行軌道外に位置するように押し出すとともに、当接部１５ｅがシャッタ地板１に設けられたストッパ部３１に当接することによって停止させられ、被押動部１５ｄ及び第１の係止部１５ａが第１駆動部材１１の走行軌道内におけるセット方向への回転の終了位置近傍に位置している状態を示したものである。
【００３５】
次に、シャッタ地板１の背面側の構成を説明する。
シャッタ地板１と補助地板３との間に配置されている羽根は、シャッタ地板１の上記の軸１ｇに対して一端を回転可能に取り付けられたアーム１７と、シャッタ地板１の上記の軸１ｈに対して一端を回転可能に取り付けられたアーム１８と、それらの自由端である他端部に向けて順に枢支された３枚の羽根１９，２０，２１とで構成されており、羽根２１がスリット形成羽根となっている。そして、周知のように、第１駆動部材１１の駆動ピン１１ｃの先端部は、アーム１７に形成された図示していない長孔に嵌合している。
【００３６】
また、シャッタ地板１の軸１ｈには、図示していないねじりコイルばねであるセットばねが嵌装されていて、その一端をシャッタ地板１の図示していないばね掛け部に掛け、他端をアーム１８の孔（符号なし）に掛けて、アーム１８を反時計方向（図１における軸１ｈを中心とした矢印Ｅ方向）へ回転させるように付勢している。そのため、このセットばねは、羽根を介して間接的に第１駆動部材１１を反時計方向へ回転させるように付勢しているが、その付勢力は、第２駆動部材１２に掛けられている上記の図示していない駆動ばねの付勢力よりも弱くなっている。そして、このセットばねの場合、周知の羽根のガタ寄せばね（スリット形成羽根の露光作動開始位置での姿勢を一定にするためにアーム１８に掛けられるばね）の役目を兼用させているが、第１駆動部材１１に直接掛けるように構成しても差し支えない。なお、便宜上、矢印Ａ〜Ｅは図１にのみ示してある。
【００３７】
次に、上記の構成説明に用いた図１と、図５〜図１０とを用いて本実施例の作動を説明する。
図１は、既に説明したように、露光作動終了直後であって羽根のチャージ（セット作動）前の状態を示したものである。このとき、第２駆動部材１２は、図示していない周知の駆動ばねにより、その押動部１２ｂが、図示していないセットばねの付勢力に抗して第１駆動部材１１の被押動部１１ｂを押し、第１駆動部材１１を時計方向へ回転させるように付勢されているが、第１駆動部材１１の駆動ピン１１ｃが長孔１ｂの下方端部１ｂ２に当接しているため、この停止状態が維持されている。そして、このとき、３枚の羽根１９，２０，２１は、展開状態になって開口部１ａを覆っている。また、係止部材１５は、上述したように、図示していない係止ばねの付勢力により、時計方向に回転し、バウンド抑止部材１６を、第１の被押動部１６ａ及び第２の係止部１６ｃが第１駆動部材１１の走行軌道外に位置するように押し出すとともに、当接部１５ｅがシャッタ地板１に設けられたストッパ部３１に当接することによって停止させられ、被押動部１５ｄ及び第１の係止部１５ａが第１駆動部材１１の走行軌道内における露光作動方向への回転の終了位置近傍に位置しており、第１駆動部材１１が反時計方向へ回転しようとすると、第１の係止部１５ａが第１の被係止部１１ａを係止することによって、その回転を抑止し得るようになっている。
【００３８】
また、このとき、セット部材１４は初期位置にあり、一方の押動部１４ｂは、第２駆動部材１２の被押動部１２ｃから離れており、他方の押動部１４ｃは、係止部材１５の被押動部１５ｂから離れている。
【００３９】
撮影に際して羽根による露光作動が終了し、このような図１に示された状態になると、直ちに撮像情報が撮像素子から情報処理回路を介して記憶装置に転送されるが、カメラに備えられている制御回路には、そのための転送可能時間が予め設定されている。
【００４０】
本実施例のフォーカルプレンシャッタは、ノーマリーオープン方式や先幕電子シャッタ方式での撮影時において、撮像情報転送可能時間中にセット部材１４に羽根のセット作動を開始させても、羽根は開口部１ａを覆ったままであって撮像素子には光が当たらないようにし、撮像情報転送可能時間の経過後であって、セット部材１４のセット作動が終了する直前になってから羽根に開き作動を行わせ、開口部１ａを全開状態にさせるようにしている。そのため、撮影に際してカメラのレリーズボタンを押してから、撮影が終了し、次の撮影待機状態が得られるまでの一連の撮影サイクルが、かなり短くなって、次の撮影が早く行える。
【００４１】
加えて、従来は、羽根へのチャージ完了後にセット位置に戻る羽根の戻り走行完了時の衝撃により羽根にバウンドが発生し、この羽根のバウンドが収まらないと、露光作動を行ったときの羽根の動きが不安定になってしまうため、羽根のバウンドが収束するまで露光作動を待つ必要があったが、本実施例のフォーカルプレンシャッタにおいては、羽根の露光開口からの退避作動時の衝撃により生ずる羽根のバウンドを抑止する第２の係止部１６ｃを有するバウンド抑止部材１６を備えたことにより、羽根へのチャージ完了後にセット位置に戻る羽根の戻り完了時の衝撃により生ずる羽根のバウンドの収束時間を短縮でき、その結果、連写速度を向上させることができる。
そこで、以下においては、本実施例のフォーカルプレンシャッタがそのような作動を好適に行えることを、具体的に説明する。
なお、ノーマリーオープン方式の撮影モードと撮像素子の電子シャッタを用いて電子シャッタと羽根とで露光作動を行う撮影モードにおける羽根の作動は同様にして行われる。
そのため、本発明における羽根の作動に関しては、上記実施例の撮像素子の電子シャッタと羽根とで露光作動を行う構成に基づいて説明することにする。
【００４２】
本実施例のフォーカルプレンシャッタにおける電子シャッタを用いた方式の撮影は、電子ファインダを用いて撮影する場合であるので、図示していない可動ミラーを備えたカメラの場合には可動ミラーがアップ状態になっている。この状態は、ノーマリーオープン方式で撮影する構成のフォーカルプレンシャッタにおいても同様である。
【００４３】
図１に示された露光作動終了直後の状態から、直ちに、羽根へのセット作動が開始されるが、羽根へのセット作動は、図示していないカメラ本体側の部材が、セット部材１４の被押動部１４ａを押し、図示していない復帰ばねの付勢力に抗してセット部材１４を時計方向へ回転させることによって行なわれる。
羽根へのセット作動が開始されると、セット部材１４の押動部１４ｂが第２駆動部材１２の被押動部１２ｃを押し、第２駆動部材１２を図示していない駆動ばねの付勢力に抗して反時計方向へ回転させ始める。このとき、第１駆動部材１１には、図示していないセットばねにより、羽根を介して反時計方向へ回転する力が与えられているが、係止部材１５の第１の係止部１５ａが第１駆動部材１１の第１の被係止部１１ａを係止することによって、反時計方向への回転を抑止させられる。そのときの状態が、図５に示されている。
【００４４】
図５の状態が得られた後も、セット部材１４は時計方向への回転を続けるので、第２駆動部材１２は、被押動部１２ｃが押動部１４ｂに押され、図示していない駆動ばねの付勢力に抗して反時計方向へ回転させられるが、第１駆動部材１１は、係止部材１５の第１の係止部１５ａに第１の被係止部１１ａを係止されているので、図示していないセットばねの付勢力により反時計方向へ回転させることができない。そのため、３枚の羽根１９〜２１は、開口部１ａを覆ったままの状態で、第２駆動部材１２だけが反時計方向へ回転を続けることになる。
【００４５】
その後、第２駆動部材１２に取り付けられている鉄片部材１３の鉄片部１３ｃが、電磁石の鉄芯部材６の磁極部に接触するが、このころには既に、上記した記憶装置への撮像情報の転送は終わっている。また、鉄片部材１３の鉄片部１３ｃが鉄芯部材６の磁極部に接触するころには、セット部材１４の押動部１４ｃが係止部材１５の被押動部１５ｂを押し、係止部材１５を図示していない係止ばねの付勢力に抗して反時計方向へ回転させ、第１の係止部１５ａ及び被押動部１５ｄを第１駆動部材１１の走行軌道外に退かせて第１の係止部１５ａによる第１駆動部材１１の第１の被係止部１１ａへの係止を解く。
【００４６】
セット部材１４は、その後も僅かに回転したところで停止させられる。また、第１駆動部材１１は、係止部材１５の第１の係止部１５ａによる第１の被係止部１１ａへの係止を解かれると、図示していないセットばねの付勢力によって反時計方向へ回転を開始する。そして、３枚の羽根１９〜２１は、隣接する羽根同士の重なりを大きくしつつ上方へ移動し、開口部１ａを開いていく。また、係止部材１５が反時計方向に回転させられるのに追従して、バウンド抑止部材１６は、図示していないバウンド抑止ばねによって反時計方向に回転し、第１の被押動部１６ａ及び第２の係止部１６ｃが第１駆動部材１１の走行軌道内におけるセット方向への回転の終了位置近傍に位置し、セット部材１４が停止したときに係止部材１５とともに停止させられる。図６は、そのようにして、セット部材１４がセット位置に到達し、３枚の羽根１９〜２１が開口部１ａを開いている途中であって、バウンド抑止部材１６の第１の被押動部１６ａ及び第２の係止部１６ｃが第１駆動部材１１の走行軌道内におけるセット方向への回転の終了位置近傍に移動した状態を示したものである。
【００４７】
第１駆動部材１１は、図６の状態からさらに反時計方向へ回転し、セット方向への回転の終了位置近傍に達したとき、押動部１１ｄがバウンド抑止部材１６の第１の被押動部１６ａに摺接し、さらに、反時計方向への回転を続ける。このとき、バウンド抑止部材１６の第１の被押動部１６ａが第１駆動部材１１の押動部１１ｄに摺接されながら押されて、バウンド抑止部材１６が図示していないバウンド抑止ばねの付勢力に抗して時計方向に回転させられることによって、第１駆動部材１１の反時計方向の回転を制動する。また、第１駆動部材１１がセット方向への回転の終了位置近傍に達したときには、３枚の羽根１９〜２１は、隣接する羽根同士の重なりをさらに大きくして上方へ移動しており、露光開口からの退避作動が終了する直前の状態にある。図７はこのときの状態を示したものである。
【００４８】
バウンド抑止部材１６の第１の被押動部１６ａによって制動された第１駆動部材１１は、図７の状態からさらに反時計方向へ回転し、駆動ピン１１ｃが長孔１ｂの上方端部１ｂ１に当接するとともに、被押動部１１ｂが第２駆動部材１２の押動部１２ｂに当接する。このとき、第１駆動部材１１の押動部１１ｄによるバウンド抑止部材１６の第２の被押動部１６ａへの摺接が解除され、バウンド抑止部材１６は、図示していないバウンド抑止ばねにより再び反時計方向に回転させられ、第１の被押動部１６ａ及び第２の係止部１６ｃが第１駆動部材１１の走行軌道内におけるセット方向への回転の終了位置近傍に復帰し、第２の被押動部１６ｂが係止部材１５の第１の押動部１５ｃに当接して停止させられる。このとき、バウンド抑止部材１６の第１の係止部１６ｃが、第１駆動部材１１の第２の被係止部１１ｅを係止しうるようになる。これにより、第１駆動部材１１は、走行軌道端部のストッパである長孔１ｂの上方端部１ｂ１（及び第２駆動部材１２の押動部１２ｂ）に当接したときの衝撃によるバウンドを抑止される。図８は、このようにして、第１駆動部材１１が、バウンド抑止部材１６の第２の係止部１６ｃにより、走行軌道端部のストッパに当接したときの衝撃によるバウンドを抑止されるときの状態を示したものである。
【００４９】
このようにして、セット部材１４が、セット位置で停止した状態で、第１駆動部材１１の被押動部１１ｂが第２駆動部材１２の押動部１２ｂに当接して停止したときに、３枚の羽根１９〜２１は露光開口からの退避作動を終了する。
このとき、開口部１ａが全開になる。その状態がセット完了状態、即ち次の撮影の待機状態であり、セット部材１４は、次の撮影が行われるまで、図示していない復帰ばねの付勢力に抗して、カメラ本体側の部材によってこの状態を維持させられている。従って、この状態においては、開口部１ａが全開になっているので、カメラの電源をオフにしない限り、被写体像を、電子ファインダで観察することが可能となる。
【００５０】
尚、本実施例は、ダイレクトタイプのフォーカルプレンシャッタとして構成されているが、係止タイプのフォーカルプレンシャッタとして構成した場合にも、セット完了後には、セット部材１４を直ちに初期位置へ復帰させず、本実施例の場合と同様に、セット位置に留めておく必要がある。何故ならば、以下の説明からも分かるように、セット部材１４を初期位置へ復帰させてしまうと、３枚の羽根１９〜２１が作動を開始して開口部１ａを覆ってしまうことになり、次の撮影に先立って電子ファインダによる被写体像の観察ができなくなってしまうからである。
【００５１】
次に、このようなセット完了状態において、次の撮影が行われる場合を説明する。電子ファインダで被写体像を観察しながら、カメラのレリーズボタンを押すと、実際の撮影（露光作動）を開始する前に、電磁石が励磁状態になり、鉄片部材１３が鉄芯部材６の磁極部に吸着保持される。
次に、図示していないカメラ本体側の部材が、セット部材１４の被押動部１４ａに対する押圧力を解くので、セット部材１４は、図示していない復帰ばねの付勢力によって時計方向へ回転し、初期位置へ復帰させられていく。
その復帰作動の初期段階において、セット部材１４は、押動部１４ｂが第２駆動部材１２の被押動部１２ｃから離れていくので、第２駆動部材１２は、図示していない駆動ばねの付勢力によって時計方向へ回転するが、鉄片部材１３が鉄芯部材６に吸着保持されているため、僅かに回転したところで、それらの取付部１２ａが鉄片部材１３の頭部１３ｂに当接して、停止させられる。
【００５２】
このような第２駆動部材１２の僅かな回転によって、第１駆動部材１１も、その被押動部１１ｂを第２駆動部材１２の押動部１２ｂに押され、図示していないセットばねの付勢力に抗して僅かに回転させられるので、３枚の羽根１９〜２１も僅かに下方へ移動させられるが、開口部１ａを覆い始める前には停止させられる。第１駆動部材１１，羽根，第２駆動部材１２にとっては、このようにして得られた位置が、露光作動開始位置である。
【００５３】
また、セット部材１４の押動部１４ｂが、第２駆動部材１２の被押動部１２ｃから離れていくころと殆ど時期を同じくして、セット部材１４の押動部１４ｃが、係止部材１５の被押動部１５ｂから離れていく。これにより、被押動部１５ｂが押動部１４ｃに押されない状態となるため、係止部材１５が時計方向に回転し、第１の押動部１５ｃが第２の被押動部１６ｂに当接しながら、バウンド抑止部材１６を、第１の被押動部１６ａ及び第２の係止部１６ｃが第１駆動部材１１の走行軌道外に位置するように押し出す。このため、以後の露光作動時において、バウンド抑止部材１６は、３枚の羽根１９〜２１が露光開口１ａを覆う方向へ走行する際の第１駆動部材１１の走行を妨げない。図９は、セット部材１４が初期位置に復帰し、羽根が露光作動を開始する直前の状態を示したものである。なお、係止部材１５は、被押動部１５ｄ及び第１の係止部１５ａが第１駆動部材１１の走行軌道内におけるセット方向への回転の終了位置近傍に位置したときに、当接部１５ｅがシャッタ地板１に設けられたストッパピン３１に当接して時計方向への回転を停止する。
【００５４】
セット部材１４が初期位置へ復帰後に、電子シャッタがＯＮとなり、電子制御回路が撮像素子を制御することによって静止画像の撮影が開始される。そして、被写体の明るさに対応して決められた所定時間が経過すると、電磁石が消磁される。
【００５５】
電磁石が消磁すると、鉄片部材１３に対する鉄芯部材６の吸引力が失われ、第２駆動部材１２が、図示していない駆動ばねの付勢力によって時計方向へ急速に回転させられる。そのとき、第２駆動部材１２は、押動部１２ｂが第１駆動部材１１の被押動部１１ｂを押し、第１駆動部材１１を、セットばねの付勢力に抗して時計方向へ回転させるため、３枚の羽根１９〜２１は、隣接する羽根同士の重なりを小さくしながら下方へ移動し、スリット形成羽根２１の下端縁で開口部１ａを閉じていく。このとき、バウンド抑止部材１６は、係止部材１５の時計方向への回転により、第１の押動部１５ｃが第２の被押動部１６ｂに当接しながら、第１の被押動部１６ａ及び第２の係止部１６ｃが第１駆動部材１１の走行軌道外に位置するように押し出されているため、第１駆動部材１１の時計方向への走行を妨げない。
【００５６】
第１駆動部材１１は、露光方向への回転の終了位置近傍にまで回転したとき、第２の被係止部１１ｅが係止部材１５の被押動部１５ｄに摺接し、さらに、時計方向への回転を続ける。このとき、係止部材１５の被押動部１５ｄが第１駆動部材１１の第２の被係止部１１ｅに摺接されながら押されて、係止部材１５が図示していない係止ばねの付勢力に抗して反時計方向へ回転させられることによって、第１駆動部材１１の時計方向の回転を制動する。このときの状態が図１０に示されている。さらに、第１駆動部材１１は、時計方向へ回転し、駆動ピン１１ｃが長孔１ｂの下方端部１ｂ２に当接する。このとき、第１駆動部材１１の第２の被係止部１１ｅによる係止部材１５の被押動部１５ｄへの摺接が解除される。このため、係止部材１５は、図示していない係止ばねにより再び時計方向に回転させられ、被押動部１５ｄ及び第１の係止部１５ａが第１駆動部材１１の走行軌道内における露光方向への回転の終了位置近傍に復帰し、当接部１５ｅがシャッタ地板１に設けられたストッパピン３１に当接することによって停止させられる。このとき、係止部材１５の第１の係止部１５ａが、第１駆動部材１１の第１の被係止部１１ａを係止しうるようになる。これにより、第１駆動部材１１は、走行軌道端部のストッパである長孔１ｂの下方端部１ｂ２に当接したときの衝撃によるバウンドを抑止される。第１駆動部材１１のバウンドが静止したとき、露光作動が終了し、羽根用の二つの駆動部材１１，１２と羽根の作動が停止する。また、第１駆動部材１１の駆動ピン１１ｃの長孔１ｂの下方端部１ｂ２に当接と殆ど時期を同じくして、電子シャッタがＯＦＦとなる。
【００５７】
ところで、本実施例における係止部材１５の本来の役目は、セット作動が開始されてから、撮像情報が撮像素子から転送され終わるまで、開口部１ａを３枚の羽根１９〜２１によって覆っているようにするために、第１駆動部材１１を係止していることである。そのため、本発明の係止部材は、本実施例のように構成せず、第１駆動部材１１が上記のようにして停止し終わる直前には接触せず、停止し終わってから、例えばカメラ本体側の部材によって、第１駆動部材１１の時計方向への回転を係止し得るようにしてもよいわけである。しかしながら、本実施例の場合には、専用の制動部材を備えなくてもよいようにするために、係止部材１５が上記のように構成されていて、露光作動の最終段階において二つの駆動部材１１，１２の回転を制動する役目も有するようにしている。
【００５８】
また、露光作動の終了時には、第１駆動部材１１の駆動ピン１１ｃが長孔１ｂの下方端部１ｂ２に当接したときの衝撃によって羽根がバウンドし、スリット形成羽根２１の上端縁が一時的に開口部１ａに進入して、撮像素子を再露光してしまうおそれがある。そのような場合、従来は、バウンドを抑える部材を単独で備えたり、制動部材と兼用させたりしていたが、本実施例の場合には、係止部材１５の第１の係止部１５ａが第１駆動部材１１の被係止部１１ａを係止するので、露光作動の終了時のバウンドを抑える部材を特別に備えなくてもよいようになっている。
【００５９】
以上のようにして、二つの駆動部材１１，１２と羽根の停止した状態が、図１に示されている露光作動の終了直後の状態であって、その後、撮像情報が、撮像素子から情報処理回路を介して記憶装置に転送されると、撮影が終了したことになるが、既に説明したように、本実施例の場合には、その転送中に、セット作動が行われることになる。そして、セット作動終了直前に行われる羽根のセット位置への戻り走行において、バウンド抑止部材１６の第１の被押動部１６ａにより第１駆動部材１１の回転が制動され、さらに第２の係止部１６ｃにより第１駆動部材１１がセット位置で係止されるため、セット位置に戻ったときの羽根のバウンドが抑えられ、羽根が静止するまでの時間が短くなる。その結果、本実施例のフォーカルプレンシャッタによれば、次の撮影を行えるようになるまでの時間がより一層短くなり、特に連写を行えるようにしたデジタルカメラに用いて有利になる。
【００６０】
尚、本実施例のセット作動は、上記のように、セット部材１４が、被押動部１４ａをカメラ本体側の部材に直接押され、図示していない復帰ばねの付勢力に抗して回転させられることによって行われるが、本発明のフォーカルプレンシャッタは、そのような構成に限定されるものではない。周知のように、シャッタ地板１に、カメラ本体側の部材によって操作されるもう一つのセット用の部材を取り付けて置き、セット部材１４は、その部材を介して回転させられるように構成してもよく、その場合には、セット部材１４を初期位置へ復帰させるための復帰ばねは、本実施例のように、セット部材１４に掛けてもよいが、そのようなもう一つのセット用の部材に掛けるようにしても構わない。
【００６１】
ところで、既に述べたように、本発明は、係止タイプのフォーカルプレンシャッタとして実施することも可能であるが、上記の実施例は、ダイレクトタイプのフォーカルプレンシャッタとして構成したものである。そして、実施例の説明の中においては、係止タイプのフォーカルプレンシャッタとして構成したときは、セット部材をセット作動終了後、直ちに初期位置へ復帰させることなく、実施例におけるセット部材の場合と同様に、撮影の初期段階であって露光作動が開始される前に、初期位置へ復帰させるようにする必要があることを説明した。そのため、その説明だけで、本発明を、係止タイプのフォーカルプレンシャッタとして実施することも可能であることが、充分に理解できると考えるが、念のため、実施例の構成を係止タイプのフォーカルプレンシャッタにする場合の構成を、簡単に説明しておく。
【００６２】
先ず、第２駆動部材１２には、本実施例のように鉄片部材１３を取り付けず、それに代わって被係止部を形成しておく。そして、図８のセット完了状態においては、第２駆動部材１２は、被係止部が係止部材に係止される位置を越えるところまで回転されているようにしておき、カメラのレリーズボタンが押され、本実施例のようにセット部材１４が初期位置へ復帰するときの初期段階で、係止部材に係止されるようにする。そして、その後、セット部材１４が初期位置へ復帰するまでの作動は、上記の実施例の場合と全く同じである。
【００６３】
他方、上記の係止部材の係止を解除するために設けられている係止解除部材は、セット部材１４が、上記のようにして、初期位置へ復帰作動を開始する前に、ばねの付勢力に抗して、電磁石に吸着保持されるようにする。そして、その後、セット部材１４が、上記のように作動して、図９に示された初期位置へ復帰すると、上記の電磁石に対する通電を順に断つ。それにより、上記の係止解除部材は、上記のばねの付勢力で作動し、上記の係止部材による係止を解除するので、第２駆動部材１２は、露光作動を開始する。そして、セット作動時には、セット部材１４の作動に連動して、上記の係止解除部材が、電磁石に対して接触させられるようにする。尚、このような作動が得られるようにするための構成は種々知られているが、その一例が、特開２００１−２１５５５５号公報にも記載されている。
【００６４】
また、本発明において説明した、係止部材及びバウンド抑止部材は、先羽根用、後羽根用のいずれの駆動部材に対しても適用可能である。
また、本発明は、ノーマリーオープン方式を採用した、先羽根用駆動部材を介して先幕を開閉し、後羽根用駆動部材を介して後幕を開閉する構成にも適用可能である。
【符号の説明】
【００６５】
１                              シャッタ地板
１ａ，３ａ                      開口部
１ｂ                            長孔
１ｄ，１ｅ，１ｆ，１ｇ，１ｈ    軸
３                              補助地板
６                              鉄芯部材
１１                            第１駆動部材
１１ａ                          第１の被係止部
１１ｅ                          第２の被係止部
１１ｂ                          被押動部
１１ｃ                          駆動ピン
１１ｄ                          押動部
１２                            第２駆動部材
１２ａ                          取付部
１２ｂ                          押動部
１２ｃ                          被押動部
１３                            鉄片部材
１３ａ                          軸部
１３ｂ                          頭部
１３ｃ                          鉄片部
１４                            セット部材
１４ａ                          被押動部
１４ｂ，１４ｃ                  押動部
１５                            係止部材
１５ａ                          第１の係止部
１５ｂ，１５ｄ                  被押動部
１５ｃ                          第１の押動部
１５ｅ                          当接部
１６                            バウンド抑止部材
１６ａ                          第１の被押動部
１６ｂ                          第２の被押動部
１６ｃ                          第２の係止部
１７，１８                      アーム
１９，２０，２１                羽根
３１                            ストッパ部
【図１】
2015106042.tif 000003
【図２】
2015106042.tif 000004
【図３】
2015106042.tif 000005
【図４】
2015106042.tif 000006
【図５】
2015106042.tif 000007
【図６】
2015106042.tif 000008
【図７】
2015106042.tif 000009
【図８】
2015106042.tif 000010
【図９】
2015106042.tif 000011
【図１０】
2015106042.tif 000012
【手続補正書】
【提出日】平成26年6月3日(2014.6.3)
【手続補正１】
【補正対象書類名】図面
【補正対象項目名】全図
【補正方法】変更
【補正の内容】
【図１】
2015106042.tif 000013
【図２】
2015106042.tif 000014
【図３】
2015106042.tif 000015
【図４】
2015106042.tif 000016
【図５】
2015106042.tif 000017
【図６】
2015106042.tif 000018
【図７】
2015106042.tif 000019
【図８】
2015106042.tif 000020
【図９】
2015106042.tif 000021
【図１０】
2015106042.tif 000022